(57)【要約】【課題】放水作業時に伸縮式配管が水路として機能したときに、伸縮式配管の各単位配管の管内が水で重くなっても、単位配管を取付けた単位梯子の固定部には、過大な負荷がかからない構成の消防用梯子車を提供する。【解決手段】伸縮式配管１４は複数本の単位配管１４ａ〜１４ｅを伸縮式梯子６０の各単位梯子６１〜６５のそれぞれの囲い柵内に配置した。【選択図】  図１
2004321542.tif 000002
【特許請求の範囲】
【請求項１】
車体に縦軸中心に回転する旋回台の横軸中心に揺動可能に取り付けられる旋回台の横軸中心に揺動可能に取り付けられて支持される支持台に伸縮式梯子が取り付けられると共に前記旋回台に伸縮式配管が取付けられ、前記伸縮式梯子は連続する三面が梯子部材で短冊状に形成されて他の１面が開口した縦長の囲い柵形状の単位梯子を複数本有し、上段の単位梯子が伸びて伸張し、収縮時には上段の単位梯子が下段の単位梯子の囲い柵内に順次に収納されて最下段の単位梯子に全て収納されるように構成され、前記伸縮式配管は複数本の単位配管を前記各単位梯子のそれぞれの囲い柵内に配置し、前記伸縮式梯子の伸縮動作に連動して伸縮するように構成されたことを特徴とする消防用梯子車。
【請求項２】
伸縮式配管は上段の単位配管が伸びて伸張し、収縮時には下段の単位配管が上段の単位配管内に順次に収納されて最上段の単位配管に全て収納されるように構成されたことを特徴とする請求項１記載の消防用梯子車。
【請求項３】
伸縮式配管は最下段の単位配管の末端が支持台又は最下段の単位梯子の末端に固定され、最下段よりも上段の単位配管の末端はそれぞれ伸縮式梯子の同じ段の単位梯子の末端に固定され、最上段の単位配管の先端は伸縮式梯子の最上段の単位梯子の先端に固定されていることを特徴とする請求項１又は２記載の消防用梯子車。
【請求項４】
伸縮式梯子が最下段の単位梯子に全ての単位梯子が収納される状態において、伸縮式配管は前記各単位配管の末端が固定具で高さ調整されて伸縮式梯子の同じ段の各単位梯子の末端にそれぞれ固定されて、最上段の単位配管に全ての単位配管の各末端が露出した状態で同軸に収納されることを特徴とする請求項１〜３のいずれか１項に記載の消防用梯子車。
【発明の詳細な説明】
【０００１】
【発明の属する技術分野】
本発明は、伸縮式梯子の先端に取り付けられるバスケットを梯子の伸縮により昇降させると共に、伸縮式梯子に伸縮式配管を取付けた消防用梯子車に関する。
【０００２】
【従来の技術】
この種の消防用梯子車では、伸縮式梯子の先端に取り付けられるバスケットに作業員が乗り込んで消火作業（および救出作業）を行っており、バスケット内で消火作業に使用する放水銃への給水は、伸縮式配管で行われている。（例えば特許文献１参照）
【０００３】
【特許文献１】
特許第２９７７５４７号公報
【０００４】
特許文献１に記載の消防車は、図６に示すように、バスケット３０の支持ブラケット３４が、最上段の単位ブーム３３ａの前端に支軸３１回りに揺動可能に取り付けられることで、バスケット３０が支持ブラケット３４を介してブーム３３の長手方向に直角な横方向に沿う支軸３１回りに揺動可能に取り付けられる。バスケット３０に放水銃４０が取り付けられている。その放水銃４０は、車体３２に内蔵された消防ポンプに流路４１を介して接続されている。その消防ポンプにより吐出される消火用流体が流路４１により放水銃４０に搬送される。その流路４１は、車体３２側に連結される車体側配管４４と、ブーム３３に同行揺動可能に連結されるブーム側配管４３と、そのバスケット３０に同行揺動可能に連結されるバスケット側配管４７とを有し、ブーム側配管４３の後端と車体側配管４４とは接続配管４５，４６で接続され、ブーム側配管４３の前端には支軸３１と同軸に連結管が固定されており、この連結管は継手配管でバスケット側配管４７に接続されている。ブーム側配管４３は複数の単位配管を長手方向に相対移動可能に連結することで構成されている。
【０００５】
最上段の単位ブーム３３ａの前端は最下段の梯子の下側まで突出していて、ブーム側配管４３は、単位ブーム３３ａが伸張していくと単位ブーム３３ａの前端の支軸３１に取付けられた先端の単位配管が引き出されていき、最下段の梯子の外部の下側に取付けられている最下段の単位配管から各単位配管を直線状に順次、引き出せるように構成されている。
【０００６】
即ち、図７に示すように、そのブーム側配管４３は、第１〜第４単位配管４３ａ、４３ｂ、４３ｃ、４３ｄで構成され、第１単位配管４３ａは、最上段の単位ブーム３ａの外部の下側の先端に第１連結具４８ａを介して連結される。第２単位配管４３ｂは、上から２段目の単位ブーム３ｂの外部の下側の先端に第２連結具４８ｂを介して連結される。第３単位配管４３ｃは、上から３段目の単位ブーム３ｃの外部の下側の先端に第３連結具４８ｃを介して連結される。第４単位配管４３ｄは、最下段の単位ブーム３ｄの外部の下側の先端に第４連結具４８ｄを介して連結され、上記伸縮ブーム３の伸縮に伴ってブーム側配管４３が伸縮する。
【０００７】
【発明が解決しようとする課題】
上記特許文献１に記載の消防車は、伸縮式配管が複数の単位配管で構成されている。また、伸縮ブーム（梯子）が縦長で一面が開口した囲い柵形状の複数の単位ブームで構成されている。そして、各単位配管は、各単位ブームの先端に取付けられて各単位ブームの囲い柵の外部の下側に吊下げて取付けられている。放水作業時に伸縮式配管が水路として機能すると、各単位配管は管内が水で重くなり、この重い状態で振動を継続する。したがって、放水作業中には単位配管を単位ブームの囲い柵の外部の下側に吊下げて取付ける固定部には、過大な負荷がかかることになり、固定部では、ネジの緩みにより固定具が取付け位置から外れて伸縮式配管が破損したり、固定具に変形が生じて単位ブームの外部の下側に単位配管が数本連なって垂下った場合には、大きく振れしてしまうことが予想され、伸縮ブーム（梯子）への伸縮式配管の取付け構造の改善が望まれていた。
【０００８】
本発明は、放水作業時に伸縮式配管が水路として機能したときに、伸縮式配管の各単位配管の管内が水で重くなっても、単位配管を取付けた単位梯子の固定部には、過大な負荷がかからない構成の消防用梯子車を提供することを目的とする。
【０００９】
【課題を解決するための手段】
請求項１記載の発明は、車体に縦軸中心に回転する旋回台の横軸中心に揺動可能に取り付けられる旋回台の横軸中心に揺動可能に取り付けられて支持される支持台に伸縮式梯子が取り付けられると共に前記旋回台に伸縮式配管が取付けられ、前記伸縮式梯子は連続する三面が梯子部材で短冊状に形成されて他の１面が開口した縦長の囲い柵形状の単位梯子を複数本有し、上段の単位梯子が伸びて伸張し、収縮時には上段の単位梯子が下段の単位梯子の囲い柵内に順次に収納されて最下段の単位梯子に全て収納されるように構成され、前記伸縮式配管は複数本の単位配管を前記各単位梯子のそれぞれの囲い柵内に配置し、前記伸縮式梯子の伸縮動作に連動して伸縮するように構成されたことを特徴とする消防用梯子車である。
【００１０】
また、請求項２記載の発明は、伸縮式配管は上段の単位配管が伸びて伸張し、収縮時には下段の単位配管が上段の単位配管内に順次に収納されて最上段の単位配管に全て収納されるように構成されたことを特徴とする請求項１記載の消防用梯子車である。
【００１１】
また、請求項３記載の発明は、伸縮式配管は最下段の単位配管の末端が支持台又は最下段の単位梯子の末端に固定され、最下段よりも上段の単位配管の末端はそれぞれ伸縮式梯子の同じ段の単位梯子の末端に固定され、最上段の単位配管の先端は伸縮式梯子の最上段の単位梯子の先端に固定されていることを特徴とする請求項１又は２記載の消防用梯子車である。
【００１２】
また、請求項４記載の発明は、伸縮式梯子が最下段の単位梯子に全ての単位梯子が収納される状態において、伸縮式配管は前記各単位配管の末端が固定具で高さ調整されて伸縮式梯子の同じ段の各単位梯子の末端にそれぞれ固定されて、最上段の単位配管に全ての単位配管の各末端が露出した状態で同軸に収納されることを特徴とする請求項１〜３のいずれか１項に記載の消防用梯子車である。
【００１３】
【発明の実施の形態】
以下、図面を参照して本発明の実施形態を説明する。図１は本発明の実施形態に係る消防用梯子車の一部省略側面図、図２は図１に示したＡ部の拡大図、図３は図１に示した梯子のＢ矢視図、図４は図３に示した固定具の各単位梯子への取付け状態の概略図、図５は図１に示したバスケット支持機構の回動時の概略図である。
【００１４】
図１〜図４において、図示しない消防用梯子車１は、車体２に縦軸中心に回転可能に取り付けられる旋回台３と、この旋回台３の横軸４中心に揺動可能に取り付けられて支持される支持台５と、この支持台５に取り付けられる伸縮可能な伸縮式梯子６０とを備える。伸縮式梯子６０は、伸縮式梯子は連続する三面が梯子部材で短冊状に形成されて他の１面が開口した縦長の囲い柵形状の単位梯子を複数本有し、支持台５に固定される最下段の単位梯子６１と、この単位梯子６１に長手方向に移動可能に取り付けられる２段目から最上段までの複数本（図では４本）の単位梯子６２〜６５と、バスケット（高所作業用移動体）８を取り付けたバスケット支持機構７が最上段の単位梯子６５の先端に回動軸７ａで軸支され、そのバスケット８に高所作業時に作業員が乗り込み可能とされている。
【００１５】
また、旋回台３には、互いに回動可能に接続された一組の継手配管１１，１２の回動軸が旋回台３の横軸４中心に同軸に取り付けられていて、車体２に縦軸中心に回転可能に取り付けられた車体側配管１０が下側の継手配管１１に接続されている。上側の継手配管１２には、Ｕ字に形成された連結管１３の末端が接続されている。連結管１３の先端は、複数の単位配管１４ａ〜１４ｅからなる伸縮式配管１４の最下段の単位配管１４ａの末端に接続されている。
【００１６】
単位梯子６１〜６５は、それぞれ縦長の囲い柵形状であり、略同じ長さであるが、囲い柵の大きさは大小に異なっている。即ち、単位梯子６１が最大の大きさで、以下６２，６３，６４，６５の順序で囲い柵形状小さく形成されている。例えば、最下段の単位梯子６１は連続する三面が左右の短冊状の梯子部材６１ａ，６１ｃと底部の短冊状の梯子部材６１ｂとで形成されて他の１面が開口した縦長の囲い柵形状である。他の単位梯子６２〜６５は単位梯子６１と同様の構成であり、それぞれ連続する三面が左の短冊状の梯子部材６２ａ〜６５ａ、右の短冊状の梯子部材６２ｃ〜６５ｃ、底部の短冊状の梯子部材６２ｂ〜６５ｂとで形成されて他の１面が開口した縦長の囲い柵形状であり、収縮時には上段の単位梯子が下段の単位梯子の囲い柵内に順次に収納されて最下段の単位梯子６１に全て収納されるように構成されている。
【００１７】
伸縮式配管１４を構成する複数の単位配管１４ａ〜１４ｅの末端には、フランジ１５ａ又はフランジ筒１５ｂ〜１５ｅによるストッパーが形成されており、単位配管１４ｅが各単位配管１４ａ〜１４ｄを収納していくときに、各単位配管１４ａ〜１４ｄは末端のフランジ１５ａ又はフランジ筒１５ｂ〜１５ｅによるストッパーで収納される長さが制限され、末端の一部が外部に突出して露出するように構成されている。
【００１８】
また、最下段の単位配管１４ａの末端のフランジ１５ａは、最上段の単位梯子６５の底部の短冊状の梯子部材６５ｂの囲い柵内に位置するように、支持台５又は最下段の単位梯子６１の底部の短冊状の梯子部材６１ｂの末端に金属板１６ａで高さが調整されて固定されている。
【００１９】
最下段から２段目の単位配管１４ｂの末端のフランジ筒１５ｂは単位梯子６２の底部の短冊状の梯子部材６２ｂの末端に固定された高さ調整用の四角枠（ブラケット）１７ｂに金属バンド１６ｂで固定されて、単位配管１４ｂの中心の高さは、単位配管１４ａの中心の高さと略等しく同軸の位置となっている。
【００２０】
最下段から３段目の単位配管１４ｃの末端のフランジ筒１５ｃは単位梯子６３の底部の短冊状の梯子部材６３ｂの末端に固定された高さ調整用の四角枠１７ｃに金属バンド１６ｃで固定されて、単位配管１４ｃの中心の高さは、単位配管１４ａ（１４ｂ）の中心の高さと略等しく同軸の位置となっている。最下段から４段目の単位配管１４ｄの末端のフランジ筒１５ｄは単位梯子６４の底部の短冊状の梯子部材６４ｂの末端に固定された高さ調整用の四角枠１７ｄに金属バンド１６ｄで固定されて、単位配管１４ｄの中心の高さは、単位配管１４ａ（１４ｂ，１４ｃ）の中心の高さと略等しく同軸の位置となっている。最上段の単位配管１４ｅの末端のフランジ１５ｅは、最上段の単位梯子６５の底部の短冊状の梯子部材６５ｂの末端に金属バンド１６ｅで固定されて、単位配管１４ｅの中心の高さは、単位配管１４ａ（１４ｂ〜１４ｄ）の中心の高さと略等しく同軸の位置となっている。
【００２１】
消防用梯子車１は、現場へ到着すると、伸縮式梯子をある程度延ばして最上段の単位梯子６５の先端に軸支されたバスケット支持機構７を単位梯子６５の先端の位置から回動させ、バスケット８の位置が地上に近付くように変位させてから作業員がバスケットに乗り込んでいる。そして、バスケット８はフェンス、手すり、塀等の障害物を乗り越えて屋上に配置され、バスケット８に乗った作業員が消火作業（および救出作業）を行っている。
【００２２】
次に、バスケット８及びバスケット支持機構７の動作について説明する。バスケット８には、図示が省略されているが、梯子駆動装置、バスケット変位装置およびバスケット平衡装置を作動、停止させる遠隔操作装置（リモートコントローラ）が設けられている。また、リフタ９は別の救出員（作業員）が乗り込み、伸縮式梯子６０の先端に上昇させて、救出を求めている人をリフタ９に乗り移らせ、リフタ９を下降させることにより、順次救出、脱出させるものである。
【００２３】
図４に示すように、最上段の単位梯子６５の先端には、バスケット支持機構７の一対の側柱の基端（後下端）が回動軸７ａで軸支されて、単位梯子６５の先端で回動可能となっている。バスケット支持機構７を駆動する場合、最上段の単位梯子６５を、下段の単位梯子６１〜６４の各先端よりもバスケット支持機構７の回動軸７ａが突き出す位置まで伸ばす。そして、バスケット支持機構７が下段の単位梯子６１〜６４に当らなくなった状態で、バスケット支持機構７を駆動する。
【００２４】
最上段の単位梯子６５の先端には所定角度だけ回動可能にシリンダ５０が取付けられており、このシリンダ５０の出力軸５１の先端に回動可能にバスケット支持機構７の基端（後上端）が取付けられている。図１では、シリンダ５０の出力軸５１は縮小しており、バスケット支持機構７は最上段の単位梯子６５の先端に直結して固定されている。伸縮式梯子６０を操作するオペレータは、バスケット支持機構７が最上段から２番目の単位梯子６４に当らなくなり、バスケット支持機構７を回動できるようになると、シリンダ５０の出力軸５１を伸張させてバスケット支持機構７を回動軸７ａで回動させてバスケット８の位置が地上に近付くように変位させて、作業員がバスケットに乗り込むようにしている。
【００２５】
伸縮式梯子６０は、上段の単位梯子が伸びて下段の単位梯子を引き出しながら伸張し、収縮時には上段の単位梯子が下段の単位梯子の囲い柵内に順次に収納されて最下段の単位梯子６１に全て収納される。また、伸縮式配管１４の最下段の単位配管１４ａの末端のフランジ１５ａは支持台５又は最下段の単位梯子６１の末端に金属板１６ａで固定され、伸縮式配管１４を構成する他の単位配管１４ｂ〜１４ｅの末端のフランジ筒１５ｂ〜１５ｅがそれぞれ金属バンド１６ｂ〜１６ｅで伸縮式梯子６０の各単位梯子６２〜６５の末端に固定されているので、単位梯子６２〜６５が伸びて伸張していくと、伸縮式配管１４を構成する単位配管１４ｂ〜１４ｅは、最上段の単位配管１４ｅから引き出されて伸縮式梯子６０の各単位梯子６２〜６５の伸張動作に連動して伸張していく。
【００２６】
バスケット支持機構７の後下端の回動軸７ａには、一組の継手配管１６，１７が同軸に取り付けられて互いに回動可能に接続されている。そして、継手配管１７の前方には、２本の配管を鈍角に接続してなる配管１８の末端が接続されている。配管１８の先端１８ａはバスケット支持機構７の前端に取付けられており、継手配管１７、配管１８は配管設備１９を構成する。配管設備１９は、常時は、バスケット支持機構７に固定されているが、メンテナンスの必要が生じれば取外しも可能である。
【００２７】
一方、最上段の配管１４ｅの先端には、連結管１５が接続されており、連結管１５が継手配管１６に接続されることで、配管設備１９の末端である継手配管１７が継手配管１６、連結管１５を介して伸縮式配管１４に対して回動可能に接続される。
【００２８】
伸縮式配管１４の各単位配管１４ａ〜１４ｅでは上段の配管が伸びて伸張していくが、収縮時には上段の配管内に下段の配管が順次に収納されて最上段の配管１４ｅに全て収納される。
【００２９】
バスケット８には、操作レバー２０ａで放水方向を操作できる放水銃２０を取付けてある。放水銃２０の給水側は給水用配管２１に取付けられて放水銃２０の給水部を構成している。この給水用配管２１には蛇腹の配管２２が取付けられている。蛇腹の配管２２は、可撓性を有する伸縮式配管であり、図１に示すように、消防用梯子車が走行する際には放水銃２０に取り付けた状態であるか、又は、放水銃２０から取り外した単品でバスケット８に載置されている。そして、図４に示すように、蛇腹の配管２２は、バスケット支持機構７を駆動する際には、放水銃２０に一端を取り付けた状態で、バスケット支持機構７の前端に取付けられた配管設備１９の配管１８の先端１８ａに他端を取外し可能に取付けられて消火作業に使用される。
【００３０】
配管設備１９の配管１８の先端１８ａは蛇腹の配管２２の着脱用の操作レバー２３が設けられており、消火作業の開始時、終了時の蛇腹の配管２２の取付け、取外しが容易に行えるようになっており、バスケット内で使用する放水銃の給水側配管の接続がバスケット内から容易にできるため、バスケットに乗り込む作業員の負担が軽減される。
【００３１】
なお、上述の実施の形態では、伸縮式梯子の最上段の単位梯子の先端に、バスケット支持機構が回動軸で軸支されている消防用梯子車を例にとって説明したが、本発明に係る消防用梯子車としては、伸縮式梯子の最上段の単位梯子の先端にバスケットを取付けて消火作業を行う消防用梯子車であってもよく、このような消防用梯子車の場合には、最上段の単位配管１４ｅの先端は、最上段の単位梯子６５の底部の短冊状の梯子部材６５ｂの先端に金属バンドで固定して、最上段の単位梯子６５の囲い柵内に底部の短冊状の梯子部材６５ｂと平行となるように配置すればよい。
【００３２】
このように伸縮式配管１４は各単位配管１４ａ〜１４ｅを伸縮式梯子６０の各単位梯子６１〜６５のそれぞれの囲い柵内に配置して、各単位梯子６１〜６５のたので底部の短冊状の梯子部材６１ｂ〜６５ｂに固定したから、放水作業時に伸縮式配管が水路として機能したときに、伸縮式配管１４の各単位配管１４ａ〜１４ｅの管内が水で重くなっても、その重量は底部の短冊状の梯子部材６１ｂ〜６５ｂで支えられて、固定部には、過大な負荷がかからないから、金属板１６ａ、各金属バンド１６ｂ〜１６ｅや各四角枠（ブラケット）１７ｂ〜１７ｄ等の固定具が取付け位置から外れる事故は防止できる。しかも、万が一単位配管を取付けた単位梯子の固定具が外れる事態が生じて単位配管が数本連なる事態が生じても、各単位配管１４ａ〜１４ｅは、各単位梯子６１〜６５のそれぞれの囲い柵内に配置したので、その移動範囲は限定され、大きく振れることはない。
【００３３】
【発明の効果】
以上説明したように本発明の消防用梯子車では、伸縮式梯子は連続する三面が梯子部材で短冊状に形成されて他の１面が開口した縦長の囲い柵形状の単位梯子を複数本有し、上段の単位梯子が伸びて伸張し、収縮時には上段の単位梯子が下段の単位梯子の囲い柵内に順次に収納されて最下段の単位梯子に全て収納されるように構成され、前記伸縮式配管は複数本の単位配管を前記各単位梯子のそれぞれの囲い柵内に配置し、前記伸縮式梯子の伸縮動作に連動して伸縮するように構成したから、放水作業時に伸縮式配管が水路として機能したときに、伸縮式配管の各単位配管の管内が水で重くなっても、単位配管を取付けた単位梯子の固定部には、過大な負荷がかからないから、各固定具が取付け位置から外れる事故は防止できる。しかも、万が一単位配管を取付けた単位梯子の固定具が外れる事態が生じて単位配管が数本連なる事態が生じても、各単位配管は、それぞれ各単位梯子の囲い柵内に配置して、移動範囲が限定されて大きく振れることはなく、極めて安全である等優れた効果を奏する。
【図面の簡単な説明】
【図１】本発明の実施形態に係る消防用梯子車の側面図である。
【図２】図１に丸で示したＡ部の拡大図である。
【図３】図１に示した梯子のＢ矢視図である。
【図４】図３に示した固定具の各単位梯子への取付け状態の概略図である。
【図５】図１に示したバスケット支持機構の回動時の概略図である。
【図６】従来の消防用梯子車の概略図である。
【図７】図６示したＣ部の拡大図である。
【符号の説明】
１  消防用梯子車
２  車体
３  旋回台
４  横軸
５  支持台
７  バスケット支持機構
７ａ  回動軸
８  バスケット
９  リフタ
１０  車体側配管
１１，１２，１６，１７  継手配管
１３  連結管
１４伸縮式配管
１４ａ〜１４ｅ  単位配管
１５ａ  フランジ
１５ｂ〜１５ｅ  フランジ筒
１６ａ  金属板
１６ｂ〜１６ｅ  金属バンド
１７ｂ〜１７ｄ  四角枠（ブラケット）
１８  配管
１８ａ  先端
１９  配管設備
２０  放水銃
２０ａ  操作レバー
２１  給水用配管
２２  蛇腹の配管
５０  シリンダ
５１  出力軸
６０  伸縮式梯子
６１〜６５  単位梯子
６１ａ〜６５ａ  左の短冊状の梯子部材
６１ｂ〜６５ｂ  底部の短冊状の梯子部材
６１ｃ〜６５ｃ  右の短冊状の梯子部材
【図１】
2004321542.tif 000003
【図２】
2004321542.tif 000004
【図３】
2004321542.tif 000005
【図４】
2004321542.tif 000006
【図５】
2004321542.tif 000007
【図６】
2004321542.tif 000008
【図７】
2004321542.tif 000009